(57)【要約】【課題】色素の濃度を高くした場合であっても充分な粘度を得ることができ、安定した品質を維持することが可能な水洗トイレ用液体洗浄剤及び水洗トイレ用液体洗浄剤供給具を提供する。【解決手段】液剤容器１０内に収容され、液剤容器１０に設けられた流出部１０３からトイレの貯水槽へ流出する、水洗トイレ用液体洗浄剤Ｌであって、色素を含み、ベタイン型界面活性剤及び陰イオン界面活性剤を混合してなる粘度調整剤により、粘度調整した水洗トイレ用液体洗浄剤Ｌ。前記水洗トイレ用液体洗浄剤Ｌを収容し、収容している水洗トイレ用液体洗浄剤Ｌを流出させる流出部１０３と、流出部１０３から流出する水洗トイレ用液体洗浄剤Ｌを、貯水槽２へ供給可能に保持する保持部１１とを備える水洗トイレ用液体洗浄剤供給具１。【選択図】図１Ａ
2015209526.tif 000002
【特許請求の範囲】
【請求項１】
液剤容器内に収容され、前記液剤容器に設けられた流出部からトイレの貯水槽へ流出する、水洗トイレ用液体洗浄剤であって、
色素を含み、ベタイン型両性界面活性剤及び陰イオン界面活性剤を混合してなる粘度調整剤により、粘度調整されている
ことを特徴とする水洗トイレ用液体洗浄剤。
【請求項２】
前記ベタイン型両性界面活性剤が脂肪酸アミドアルキルベタインであることを特徴とする、請求項１に記載の水洗トイレ用液体洗浄剤。
【請求項３】
水洗トイレ用液体洗浄剤を収容し、収容している水洗トイレ用液体洗浄剤を水洗トイレの貯水槽へ供給する、水洗トイレ用液体洗浄剤供給具であって、
前記水洗トイレ用液体洗浄剤は、請求項１又は２に記載の水洗トイレ用液体洗浄剤であり、
前記水洗トイレ用液体洗浄剤を収容した液剤容器と、
収容している水洗トイレ用液体洗浄剤を流出させる流出部と、
前記流出部から流出する水洗トイレ用液体洗浄剤を前記貯水槽へ供給可能に、前記液剤容器を保持する保持部と
を備えることを特徴とする水洗トイレ用液体洗浄剤供給具。
【発明の詳細な説明】
【技術分野】
【０００１】
本発明は、液剤容器内に収容され、液剤容器から貯水槽へ流出する、水洗トイレ用液体洗浄剤、及び水洗トイレ用液体洗浄剤を収容した水洗トイレ用液体洗浄剤供給具に関する。
【背景技術】
【０００２】
水洗トイレの貯水槽の蓋上に載置して使用されるトイレ用洗浄剤が普及している。このようなトイレ用洗浄剤の剤型としては、芳香成分、洗浄成分、色素等の有効成分を含有した固形物が主流であった。固形物として形成されたトイレ用洗浄剤は、フラッシング用の水をかけることにより、芳香成分、洗浄成分、色素等の有効成分が溶出した薬液を貯水槽に供給することができる。
【０００３】
ところが、有効成分を水により溶出させる固形物としてのトイレ用洗浄剤は、構成する成分の中で親水性の高い成分ほど溶出し易くなるため、使用期間を通して流出する薬液が均質にならないという問題があった。また、このため水溶性の高い界面活性剤を多量に使用すると、使用期間が著しく短くなること、製剤の形を保つ事ができないこと等の問題があった。また、上記問題を解消するために、親水性の低い界面活性剤を多く使用する場合には、充分な洗浄力が得られにくいという問題もあった。
【０００４】
さらに、トイレ用洗浄剤の剤型を固形物とした場合、製造工程において、常温では固形の界面活性剤を高温で練り上げて混合、製剤化させる加熱工程が含まれるため、加熱工程における香料などの芳香成分の変質等の問題が生じる。また、常温では液体状態の有効成分などを製剤中に均一に保持させるためには、融点の高い活性剤を多量に含有させなければならない。このため、芳香成分の含有量は制限されることとなる。トイレ用洗浄剤という用途を考慮した場合、充分な量の芳香成分を含有させることができないという制限は大きな問題となる。
【０００５】
そこで、使用期間を通じて均一な薬液を供給でき、親水性の高い界面活性剤や、芳香成分をより多く配合可能とすべく、剤型を液体としたトイレ用洗浄剤が開発されている。本願出願人は、このような液体のトイレ用洗浄剤の実用性を向上させるため、トイレ用洗浄剤を収容する容器に改良を加え、更にトイレ用洗浄剤自体の粘度を調整することにより、貯水槽への供給量を制御し、長期間安定して使用可能なトイレ芳香洗浄器具用液剤を提案している（特許文献１）。
【０００６】
従来のトイレ用洗浄剤等の液剤の粘度の調整には、一般的に、セルロース系、アクリル酸系、多糖類等として例示列挙される水溶性高分子等の増粘剤が用いられている。
【０００７】
一方、トイレ用洗浄剤の普及に伴い、ユーザは、フラッシング時の洗浄水の色が濃いほど、薬液が洗浄水に充分に溶け込んでいることが分かるため、フラッシング時の洗浄水への充分な着色を求めている傾向がある。そこで、洗浄効果が高いという心証、所謂使用感を高めるため、着色料となる水溶性の色素の濃度を高くすることが求められている。
【先行技術文献】
【特許文献】
【０００８】
【特許文献１】特開２００３−５２８０２号公報
【発明の概要】
【発明が解決しようとする課題】
【０００９】
水溶性の色素は製剤中の水に溶け込むため、高濃度の色素を配合するためには製剤中には充分な量の水分が必要となる。しかしながら、洗浄効果や芳香効果を持つトイレ用の洗浄剤には、洗浄効果を持つ界面活性剤や、親油性の高い香料などの有効成分を多量に配合する必要があるため、製剤中の水分量は少なくなる。そのため、増粘剤として水溶性高分子を用いた液剤において、水溶性の色素を高濃度に配合すると、溶解しきれなくなった増粘剤が析出するという問題がある。このような増粘剤の析出は、詰まりの発生、粘度の低下等の更なる問題を引き起こす。このため、従来のトイレ用洗浄剤で配合できる色素濃度は、０．００１％未満であり、洗浄液への着色は期待できなかった。
【００１０】
トイレ用洗浄剤中の増粘剤の析出を抑制しながら、配合する色素量を増やすために、液剤中の水分量を増やした場合、製剤中の界面活性濃度が減少し、洗浄効果の低下に繋がる恐れがある。また、製剤中の増粘剤の濃度が低下することから、充分な粘度を維持することができない状況も生じ得る。
【００１１】
本発明は斯かる事情に鑑みてなされたものであり、色素を含み、ベタイン型両性界面活性剤及び陰イオン界面活性剤を混合してなる粘度調整剤にて水洗トイレ用液体洗浄剤の粘度を調整する。これにより、本発明は、０．０１〜５％の洗浄水に充分な着色が可能な高濃度の色素を配合しながらも、高い洗浄効果を得ることができ、製剤の充分な粘度を維持することができる、長期間安定して使用することが可能な水洗トイレ用液体洗浄剤の提供を目的とする。
【００１２】
また、本発明は、本発明に係る水洗トイレ用液体洗浄剤を収容した水洗トイレ用液体洗浄剤供給具の提供を他の目的とする。
【課題を解決するための手段】
【００１３】
上記課題を解決するために、液剤容器内に収容され、前記液剤容器に設けられた流出部からトイレの貯水槽へ流出する、水洗トイレ用液体洗浄剤であって、色素を含み、ベタイン型両性界面活性剤及び陰イオン界面活性剤を混合してなる粘度調整剤により、粘度調整されていることを特徴とする。
【００１４】
したがって、本発明では、ベタイン型両性界面活性剤及び陰イオン界面活性剤を混合してなる粘度調整剤により、長期間の使用に充分な粘度を得ることができる。
【００１５】
また、本発明に係る水洗トイレ用液体洗浄剤供給具は、水洗トイレ用液体洗浄剤を収容し、収容している水洗トイレ用液体洗浄剤を水洗トイレの貯水槽へ供給する、水洗トイレ用液体洗浄剤供給具であって、前記水洗トイレ用液体洗浄剤は、前述の水洗トイレ用液体洗浄剤であり、前記水洗トイレ用液体洗浄剤を収容した液剤容器と、収容している水洗トイレ用液体洗浄剤を流出させる流出部と、前記流出部から流出する水洗トイレ用液体洗浄剤を前記貯水槽へ供給可能に、前記液剤容器を保持する保持部とを備えることを特徴とする。
【発明の効果】
【００１６】
本発明に係る水洗トイレ用液体洗浄剤及び水洗トイレ用液体洗浄剤供給具は、色素を含み、ベタイン型両性界面活性剤及び陰イオン界面活性剤を混合してなる粘度調整剤により粘度調整を行う。これにより、トイレの貯水槽に安定して液剤を流出させるべく長期間の使用に充分な粘度に調整することが可能である等、優れた効果を奏する。さらに、高分子化合物系などの一般的な増粘剤を用いることなく安定した粘度が得られるため、色素の濃度を高くした場合であっても、含有水分量を抑制し、安定した品質を維持することが可能である等、優れた効果を奏する。
【図面の簡単な説明】
【００１７】
【図１Ａ】本発明に係る水洗トイレ用液体洗浄剤供給具の外観の一例を示す概略正面図である。
【図１Ｂ】本発明に係る水洗トイレ用液体洗浄剤供給具の概略断面図である。
【図２】水洗トイレ用液体洗浄剤の粘度と流出速度との関係の一例を示すグラフである。
【発明を実施するための形態】
【００１８】
以下、本発明の実施形態について詳述する。なお、以下の実施形態は、本発明を具現化した一例であって、本発明の技術範囲を限定する性格のものではない。本発明に係る水洗トイレ用液体洗浄剤（以下、単に「液剤」ともいう。）は、本発明に係る水洗トイレ用液体洗浄剤供給具（以下、単に「供給具」ともいう。）を用いてトイレの貯水槽に供給される。
【００１９】
図１Ａは、本発明に係る水洗トイレ用液体洗浄剤供給具１の外観の一例を示す概略正面図であり、図１Ｂは、本発明に係る水洗トイレ用液体洗浄剤供給具１の概略断面図である。なお、図１Ａは、内部の状況を明確にすべく、一部破断図とし、かつ液剤容器１０内に立設された連通部材１０１を透過して示している。また、図１Ｂは、図１ＡにおけるＡ−Ｂ方向の断面の要部のみを拡大して示している。本発明に係る供給具１は、本発明に係る液剤Ｌを収容する液剤容器１０と、水洗トイレの貯水槽２上に液剤容器１０を保持するための保持部１１とを備えている。
【００２０】
液剤容器１０は中空の球冠状をなしており、底面となる下部の開口部は円板状をなす中栓１００により封止されている。中栓１００の中心には、液剤容器１０の下方から液剤容器１０内部へ貫通する円筒状の連通部材１０１が立設されている。連通部材１０１の上端は、液剤容器１０内に収容された液剤Ｌの液面より上方に突出しており、通気口１０２として開口しているため、液剤容器１０内外の気圧は等しい状態に保たれる。連通部材１０１の下部の外周面には、軸方向に沿って３本の細溝１０３が等間隔に刻設されている。連通部材１０１の下部の外周面は中栓１００の貫通孔に内接しているが、細溝１０３の部分が隙間となるため、液剤容器１０内の液剤Ｌは細溝１０３を通って液剤容器１０外へ流出する。液剤Ｌの流路となる各細溝１０３の断面は、例えば、溝の幅０．５ｍｍ×溝の厚み０．２ｍｍの矩形状に形成されている。そして、液剤容器１０内に収容された液剤Ｌは、各細溝１０３を通り、１ヶ月以上の期間をかけて略一定の流量で流出する。
【００２１】
保持部１１は、液剤容器１０の下部の外周面を覆う皿状に形成されており、複数の流出孔１１０が開設されている。保持部１１の下面には、細板状に形成された軟質の支持片１１１が中央部に複数突設されており、支持片１１１の周囲には当接脚１１２が複数突設されている。液剤容器１０内から細溝１０３を通って液剤容器１０外へ浸出した液剤Ｌは、保持部１１に貯留され、流出孔１１０から流出する。
【００２２】
供給具１は、貯水槽２の上面に形成された水受け部２０に当接脚１１２を当接配置し、水受け部２０に開設された注水孔２１に支持片１１１を挿入することにより、貯水槽２上に位置決めされ固定される。そして、保持部１１に開設された流出孔１１０から流出した液剤Ｌは、注水孔２１から貯水槽２内へ流入する。
【００２３】
本発明の供給具１内に収容される液剤Ｌについて説明する。本発明に係る水洗トイレ用液体洗浄剤Ｌは、芳香剤、洗浄剤、色素等の有効成分と粘度調整剤とを混合してなり、粘度調整剤により、粘度調整されている。
【００２４】
洗浄剤としては、各種界面活性剤を例示列挙することができる（以降の説明において、「ＰＯＥ」は「ポリオキシエチレン」を示し、「ＰＯＰ」は「ポリオキシプロピレン」を示す。）。例えば、ミリスチン酸、ステアリン酸、パルミチン酸、ベヘニン酸、オレイン酸等の高級脂肪酸及びその塩；カリウム、ナトリウム、モノエタノールアミン、ジエタノールアミン、トリエタノールアミン、アミノメチルプロパノールアミン酸等の塩；エーテルカルボン酸のアルカリ塩；ＰＯＥオクチルドデシルアルコール、ＰＯＥ−２−デシルテトラデシルアルコール等のＰＯＥ分岐アルキルエーテル；ＰＯＥオレイルアルコールエーテル、ＰＯＥベヘニルアルコールエーテル、ＰＯＥステアリルアルコールエーテル、ＰＯＥセチルアルコールエーテル等のＰＯＥアルキルエーテル；ポリオキシプロピレン（ＰＯＰ）−ＰＯＥブロックコポリマー；ソルビタンモノオレート、ソルビタンモノイソステアレート、ソルビタンモノラウレート等のソルビタンエステル；ＰＯＥソルビタンモノオレート、ＰＯＥソルビタンモノイソステアレート、ＰＯＥソルビタンモノラウレート等のＰＯＥソルビタンエステル；グリセリルモノオレート、グリセリルモノステアレート、グリセリルモノミリステート等のグリセリン脂肪酸エステル；ＰＯＥグリセリルモノオレート、ＰＯＥグリセリルモノステアレート、ＰＯＥグリセリルモノミリステート等のＰＯＥグリセリン脂肪酸エステル；ＰＯＥジヒドロコレステロールエステル、ＰＯＥ硬化ヒマシ油、ＰＯＥ硬化ヒマシ油イソステアレート等のＰＯＥ硬化ヒマシ油脂肪酸エステル；ＰＯＥノニルフェニルエーテル、ＰＯＥオクチルフェニルエーテル等のＰＯＥアルキルフェニルエーテル；エチレングリコール・プロピレングリコールブロックポリマー、グリセリルイソステアリルエーテル、グリセリルミリスチルエーテル等のグリセリルエーテル；ＰＯＥグリセリルイソステアリルエーテル、ＰＯＥグリセリルミリスチルエーテル等のＰＯＥグリセリルエーテル；ジグリセリルモノステアレート、デカグリセリルデカステアレート、デカグリセリルペンタンイソステアレート、デカグリセリルデカイソステアレート、ジグリセリンジイソステアレート等のポリグリセリン脂肪酸エステル等の非イオン界面活性剤；ステアリルトリメチルアンモニウムクロライド、ジステアリルジメチルアンモニウムクロライド、ジミリスチルジメチルアンモニウムクロライド、ステアリルベンジルジメチルアンモニウムクロライド、ジミリスチルジメチルアンモニウムメチルサルフェート等の陽イオン界面活性剤；ラウリルアミノプロピオン酸ナトリウム等のアミノ酸系界面活性剤、等が挙げられる。配合量は、洗浄剤としての界面活性剤総量として０．５〜６０重量％、好ましくは１〜５０重量、より好ましくは１０〜４０重量％とすればよい。水への溶解性や洗浄力の高さからＰＯＥ硬化ヒマシ油脂肪酸エステルやリオキシプロピレン（ＰＯＰ）−ＰＯＥブロックコポリマー等の非イオン界面活性剤が好ましい。
【００２５】
芳香剤の成分としては、例えば、レモン、オレンジ、ベルガモット、グレープフルーツ、ラベンダー、ローズマリー、ジャスミン、ローズ、ペパーミント、ユーカリ、樟脳等から抽出した精油；リモネン、リナロール、リナロールアセテート、ボルネオール、シトラール、シトロネラール、メントール、シネオール等の天然香料や合成香料を例示列挙することができる。配合割合は０．５〜２５重量％、好ましくは１〜２０重量％とすればよい。
【００２６】
色素としては、水溶性の法定色素が好ましく、例えば、赤色２号、赤色３号、赤色１０２号、赤色１０４号の（１）、赤色１０５号の（１）、赤色１０６号、黄色４号、黄色５号、青色１号、青色２号、緑色３号、赤色２０１号、赤色２０５号、赤色２１３号、赤色２１４号、赤色２１９号、赤色２２７号、赤色２３０号の（１）、赤色２３０号の（２）、赤色２３１号、赤色２３２号、橙色２０７号、黄色２０２号の（２）、黄色２０３号、緑色２０５号、青色２０２号、青色２０３号、青色２０５号、褐色２０１号、赤色４０１号、赤色２０５号、赤色５０３号、赤色５０４号、赤色５０６号、橙色４０２号、黄色４０２号、黄色４０３号の（１）、黄色４０６号、黄色４０７号、緑色４０１号、緑色４０２号、紫色４０１号、黒色４０１号等が挙げられる。また、これら色素を組み合わせて色々な色にして用いてもよい。配合量は０．０１〜５重量％とすればよい。なお、普及型の水洗トイレの貯水槽は、標準型で１０Ｌ、節水型で８Ｌであることから、洗浄水を充分に着色するためには、色素の滴下量としては０．８ｍｇであれば良い。そのため、１時間当たりの製剤の滴下量が０．１１ｇである場合、色素の配合量は０．７重量％以上とすることが好ましい。
【００２７】
その他の有効成分として、例えば、フッ素化アルキルＰＯＥエステル、フッ素化アルキル親水性基含有オリゴマー、フッ素化アルキルエステル付加重合物等のフッ素系両親媒性物質等の防汚剤、クエン酸、リン酸等の酸性成分、第四級アンモニウム塩、イソシアヌル酸、イソプロピルメチルフェノール、チモール、メチルパラベン等の殺菌剤、抗菌剤、防腐剤、リン酸塩等のＰＨ調整剤、酵素、キレート剤、尿石除去剤等の効能を有する薬剤を配合してもよい。また、混合に際し、水、アルコール、ポリエチレングリコール、ジプロピレングリコール、３−メトキシ−３−メチル−１−ブタノール、濃グリセリン等の溶剤を用いるようにしてもよい。
【００２８】
本発明に係る水洗トイレ用液体洗浄剤において、上述した芳香剤、洗浄剤、色素等の有効成分は、粘度調整剤と混合することにより、所定の粘度に調整される。粘度調整剤は、両性型界面活性剤及び陰イオン界面活性剤を混合してなる。
【００２９】
液剤の粘度は、粘度調整剤の配合量と粘度調整剤中の両性型界面活性剤及び陰イオン界面活性剤の配合量により調整される。処方中の粘度調整剤は１．１〜５０重量％、好ましくは２〜３０重量％、より好ましくは５〜２０重量％配合することで、充分な粘度調整が可能となる。また、粘度調整剤中の両性型界面活性剤と陰イオン界面活性剤とは、重量比で３：１〜１：３、より好ましくは、２：１〜１：２の割合で混合することで、充分な粘度調整が可能となる。本発明の水洗トイレ用液体洗浄剤供給具において、供給具に収容された液剤がトイレの貯水槽に全量流出するために要する期間は、液剤の交換期間となるため、１ヶ月以上とすることが望ましい。また、交換期間は、供給具に収容された液剤の量と時間当たりの流出量、即ち流出速度とにより決定される。流出速度は、細溝の断面形状、液剤の粘度等の要因により決定される。
【００３０】
粘度調整中の両性型界面活性剤としては、好適には、ベタイン型界面活性剤が用いられ、具体的には、ミリスチン酸アミドプロピルジメチルアミノ酢酸ベタイン、ラウリン酸アミドプロピルジメチルアミノ酢酸ベタイン、ヤシ油脂肪酸アミドプロピルジメチルアミノ酢酸ベタイン、ラウリルジメチルアミノ酢酸ベタイン、ステアリルジメチルアミノ酢酸ベタイン、２−アルキル−Ｎ−カルボキシメチル−Ｎ−ヒロドキシエチルイミダゾリニウムベタイン、ラウリルヒドロキシスルホベタイン等のベタイン型界面活性剤を例示列挙することができる。増粘効果が高いことから、脂肪族アミドアルキルベタインが特に好ましい。配合量は、０．１〜３０重量％、好ましくは０．５〜２０重量％、より好ましくは１〜１０重量％とすればよい。
【００３１】
粘度調整中の陰イオン界面活性剤としては、高級アルキルスルホン酸塩、ＰＯＥアルキルエーテル硫酸塩等の塩、更に具体的には、ＰＯＥ（３）ラウリルエーテル硫酸トリエタノールアミン、オレフィン（Ｃ１４−１６）スルホン酸ナトリウム、ココイルメチルタウリンナトリウム等の陰イオン界面活性剤を例示列挙することができる。配合量は１〜３０重量％、好ましくは５〜２５重量％、より好ましくは２〜１２重量％とすればよい。
【００３２】
図２は、水洗トイレ用液体洗浄剤の粘度と流出速度との関係の一例を示すグラフである。図２では、流出速度を供給具内に収容された液剤の残量と日数との関係として示しており、横軸に日数（持続日数）をとり、縦軸に液剤の残量をとって、その関係を粘度毎に示している。供給具内には、初期量として８０ｇを液剤を充填した。また、供給具には、矩形状をなし、断面積が０．５ｍｍ×０．２ｍｍである細溝を１本設けた。また、液剤の粘度は、２５℃で１５０ｍＰａ・ｓ、２００ｍＰａ・ｓ、３５０ｍＰａ・ｓ、及び４００ｍＰａ・ｓとなるように調整し、それぞれ４回の流出実験を行い、その平均値を実験結果とした。
【００３３】
このような条件で実験を行った結果、図２に示すように、１ヶ月（３０日）以上の持続日数を担保するためには２００ｍＰａ・ｓ以上の粘度が必要であることが確認された。したがって、実験に係る条件を製品に反映させる場合、液剤の粘度は、粘度調整剤により２００ｍＰａ・ｓ以上に調整する必要があることが確認された。
【００３４】
薬液の供給量は細溝の数や大きさを変えることで、適宜調整可能である。たとえば、断面積０．５ｍｍ×０．２ｍｍの矩形状の細溝を３本設けた場合、１ヶ月（３０日）以上の持続日数を担保するためには、６００ｍＰａ・ｓ以上の粘度を、２ヶ月（６０日）以上の持続日数を担保するためには、９００〜１０００ｍＰａ・ｓ以上の粘度となるように調整すればよい。
【００３５】
次に、液剤の処方例について説明する。表１は、高濃度色素等の有効成分を含み、両性界面活性剤及び陰イオン界面活性剤を混合してなる粘度調整剤により２００ｍＰａ・ｓ以上の粘度に調整した液剤の処方例を示している。
【００３６】
【表１】
2015209526.tif 000003
【００３７】
表１において、ラウリン酸アミドプロピルジメチルアミノ酢酸ベタインはベタイン型両性界面活性剤、ＰＯＥ（３）ラウリルエーテル硫酸トリエタノールアミンは陰イオン界面活性剤、グリセリン及び水は溶剤、ＰＯＥ（４０）硬化ヒマシ油エーテル、ＰＯＥ（１４）ＰＯＰ（５）アルキル（Ｃ１０）エーテル及びＰＯＥ（１０）ＰＯＰ（２）アルキル（Ｃ１０）エーテルは洗浄剤、ブリリアントブルーＦＣＦは色素、ＥＤＴＡ・４Ｎａ・４Ｈ2 Ｏはキレート剤、緑茶抽出物は消臭剤、そして有機窒素硫黄ハロゲン系化合物は殺菌剤である。
【００３８】
表１に示す薬剤を原材料とする液剤の調合手順例について概略的に説明する。まず、水、粘度調整剤としてのベタイン型両性界面活性剤及び陰イオン界面活性剤を混合してなる粘度調整剤、並びに香料を調合容器に投入し、調合容器内を攪拌して混合する。次に、グリセリン（濃グリセリン）及び洗浄剤を調合容器に投入し、調合容器内を攪拌して混合する。さらに、水、色素、キレート剤、消臭剤及び殺菌剤を調合容器に投入し、調合容器内を攪拌して混合する。以上の調合手順により短い混合時間で均一な組成の液剤が完成する。
【００３９】
また、他の調合手順としては、水、色素、キレート剤、消臭剤及び殺菌剤を調合容器内に投入し、調合容器内を撹拌して混合する。次にグリセリン（濃グリセリン）及び洗浄剤を調合容器に投入し、調合容器内を撹拌して混合する。次に、粘度調整剤としてのベタイン型両性界面活性剤及び陰イオン界面活性剤を混合してなる粘度調整剤、並びに香料を調合容器に投入し、調合容器内を撹拌して混合する。以上の調合手順により、短い混合時間で均一な組成の液剤が完成する。
【００４０】
次に、実施例を挙げて本発明に係る液剤と粘度との関係を説明する。表２は、本発明に係る液剤として、色素等の有効成分を含み、ベタイン型両性界面活性剤及び陰イオン界面活性剤を混合してなる粘度調整剤により粘度調整した液剤の実施例を示している。また、ベタイン型両性界面活性剤に替えて、ベタイン型ではない両性界面活性剤を使用した比較例を示している。
【００４１】
また、表３は、本発明に係る液剤として、色素等の有効成分を含み、ベタイン型両性界面活性剤及び陰イオン界面活性剤を混合してなる粘度調整剤により粘度調整した液剤の実施例と、陰イオン界面活性剤に替えて、陽イオン界面活性剤又は非イオン界面活性剤を用いて調合した比較例とを示している。
【００４２】
【表２】
2015209526.tif 000004
【００４３】
【表３】
2015209526.tif 000005
【００４４】
表２及び表３に示す各実施例及び各比較例において、ブリリアントブルーＦＣＦ（青色１号）は色素であり、グリセリン及び水は溶剤である。また、ＰＯＥ硬化ヒマシ油エーテル、ＰＯＥ（１４）ＰＯＰ（５）アルキル（Ｃ１０）エーテル及びＰＯＥ（１０）ＰＯＰ（２）アルキル（Ｃ１０）エーテルは洗浄剤である。表２及び表３に示す各実施例及び各比較例では、色素であるブリリアントブルーＦＣＦ（青色１号）を１０％水溶液で７．５重量％含有するように調合している。また、液剤の粘度は、リオン株式会社製ＶＩＳＣＯＴＥＳＴＥＲ  ＶＴ−０４を用いて測定している。
【００４５】
表２の実施例１〜３並びに表３の実施例４及び５として示すように、ベタイン型界面活性剤及び陰イオン界面活性剤を粘度調整剤として用いることにより、色素を７．５重量％含有する系であっても、２００ｍＰａ・ｓ以上の粘度に調合できることがわかる。しかしながら、表２の比較例１及び２として示すように、ベタイン型界面活性剤に替えてベタイン型ではない両性界面活性剤を用いた場合、粘度は、２００ｍＰａ・ｓまで到達しておらず、充分な粘度は得られていない。同様にして、表３の比較例３〜５として示すように陰イオン界面活性剤に替えて陽イオン界面活性剤又は非イオン界面活性剤を用いた場合、粘度は、２００ｍＰａ・ｓまで到達しておらず、充分な粘度は得られていない。
【００４６】
なお、粘度調整剤として、セルロース系、カルボキシポリマー系、アクリル酸系、キサンタンガム（多糖類）を用い、０．７５重量％の色素を混合して調合した場合、液剤に白濁が生じる結果となった。粘度調整はそれぞれ、色素を混合しない製剤で２００ｍＰａ・ｓの粘度が得られる量を用いた。各粘度調整剤を用いた結果を表４に示す。表４は、粘度調整剤について、増粘剤系統、成分名、製品名及び結果を示している。
【００４７】
【表４】
2015209526.tif 000006
【００４８】
前記実施形態は、本発明の無数に存在する実施例の一部を開示したに過ぎず、水洗トイレ用液体洗浄剤は、様々な要因を加味して適宜、薬剤、調合量等の調合条件を適宜変更することが可能である。
【００４９】
また、水洗トイレ用液体洗浄剤供給具についても同様であり、実施形態に記載した形態に限らず、配置方法、形状、細溝の形状、細溝の数等の形態を適宜変更することが可能である。例えば、水洗トイレの貯水槽上面の水受け部に載置するのではなく、貯水槽上又は貯水槽内に吊着する等、適宜設計することが可能である。
【符号の説明】
【００５０】
１  水洗トイレ用液体洗浄剤供給具（供給具）
１０  液剤容器
１００  中栓
１０１  連通部材
１０２  通気口
１０３  細溝（流出部）
１１  保持部
１１０  流出孔
１１１  支持片
１１２  当接脚
２  貯水槽
２０  水受け部
２１  注水孔
Ｌ  水洗トイレ用液体洗浄剤（液剤）
【図１Ａ】
2015209526.tif 000007
【図１Ｂ】
2015209526.tif 000008
【図２】
2015209526.tif 000009